(57)【要約】      （修正有） 【課題】大型円錐基礎床版ブロックにおいて、従来品よりも高荷重の構造物を支えつつも沈下を極力有効に防止し、製作並びに施工を簡便に行える基礎床版ブロックを提供する。【解決手段】大型円錐基礎床版ブロック１は、工場製作によるプレキャストコンクリートブロックとして成形する。床版本体１ａは工場で製作が可能な、かつ施工現場までの運搬が可能な範囲でできるだけ大きい面積で製作する。その底面には先端が尖っていない円錐状の突起１ｂ、１ｃ、１ｄを複数設け、さらに、その突起１ｂ、１ｃ、１ｄの先端にガイドピン１ｇを埋め込んでおく。また、突起１ｂ、１ｃ、１ｄを避けて、楕円状の開口部１ｅ、１ｆを複数設け、この部分に間詰砕石を投入し転圧する。型枠の仕切り版を用いれば小さな面積の円錐基礎床版ブロックが製作でき、小規模な構造物の基礎に用いることができる。【選択図】図１
0003160507.tif 000002
【実用新案登録請求の範囲】
【請求項１】
床版本体の底面に円錐状の突起を複数設け、さらに円錐状の突起部を避けて楕円状の開口部を設け、
該床版本体の面積を、型枠の仕切版により自由に変えて製作する、
ことを特徴とする大型円錐基礎床版ブロック。
【考案の詳細な説明】
【技術分野】
【０００１】
本考案は、トンネルや水路等に用いられるボックスカルバートや大型ボックスカ
ルバート、比較的土被りの大きいアーチカルバート、偏芯荷重が地盤に作用するＬ
形プレキャスト擁壁、道路、建物等の構造物の下側に、これら構造物の沈下防止を
目的に用いられる大型円錐基礎床版ブロックに関する。
【背景技術】
【０００２】
トンネルや水路、橋梁、擁壁、道路、建物等の重量のある構造物を構築する際に
、構造物が経年変化で沈下したり傾かないよう、地盤の基本構成部材として基礎床版ブロックが広く使用されている。
例えば、扁平上盤の下部に円錐形胴体と該胴体の下部中心に円柱形軸脚を設けて
コマ型ブロックを成型し、このコマ型ブロックを多数少くとも一段に地表層に布設
し、コマ型ブロックの自重およびコマ型ブロックが受ける垂直荷重と、円錐形胴体
および円柱形軸脚に生ずる反力および摩擦抵抗との総合力とを均衡せしめ、コマ型
ブロックを用いて不同沈下のない水平地耐力を発揮する基盤を形成する地表層の強
化安定方法が知られている（例えば、特許文献１参照）。
【０００３】
さらに、扁平上盤の下部に円錐形または角柱形の胴体を設け、該胴体の下部中心
部に円柱形または角柱形の軸脚を設けたコマ型ブロックを、縦２個及び横２個ずつ
扁平上盤同士を連結して一体成型してなる四連型のコマ型ブロック集合体、または
該コマ型ブロックを縦２個及び横３個ずつ扁平上盤同士を連結して一体成型してな
る六連型のコマ型ブロック集合体を基礎構成単位として使用し、該コマ型ブロック
集合体を扁平上盤同士を相当接させて縦横に配列し、隣り合うコマ型ブロック集合
体の対面するコマ型ブロックの軸脚同士を縦列と横列のいずれにおいても下部連結
部材によって相互に固着し、隣り合うコマ型ブロック集合体の対面するコマ型ブロ
ックの扁平上盤同士を縦列と横列のいずれにおいても上部連結部材によって相互に
固着したコマ型ブロック集合体による基礎構造や（例えば、特許文献２参照）、床版本体を横長の柱状に形成し、該床版本体の底面を、長さ方向の中心から両側面へ向けてそれぞれ４５度で傾斜するＶ字状に形成し、前記床版本体の両端部それぞれに交差方向へ突出する張り出し片を設け、該張り出し片の底面を前記床版本体側へ４５度で傾斜する片勾配に形成したことを特徴とした基礎床版ブロックが提案されている（例えば、特許文献３参照）
【先行技術文献】
【特許文献】
【０００４】
【特許文献１】特公昭５６−５００５４号公報
【特許文献２】特開平１０−２６６２２９号公報
【特許文献３】特開２０１０−７３７９号公報
【考案の概要】
【考案が解決しようとする課題】
【０００５】
上記特許文献１，２は、コマ型ブロックと呼ばれる基礎床版ブロックであるが、単品のコマ型ブロックを地盤に１つずつ敷き並べる特許文献１では、構造物からの荷重によって一部のコマ型ブロックが地盤に沈み込む不同沈下が特許文献１〜３の中で最もおこりやすく、また多大な施工時間がかかるばかりか、コマ型ブロックの間隔が僅かであることから間詰め砕石が入らないか、入っても転圧をかけることができないために、コマ型ブロックを地盤に安定して設置することが困難である。
【０００６】
特許文献２は、コマ型ブロックを４連や６連につないでブロック集合体とするた
め、特許文献１よりは不同沈下がおこりにくいものの、コマ型ブロックの間に間詰
め砕石が入らないか、入っても転圧をかけることができないために、ブロック集合
体を地盤に安定して設置することが困難であることは特許文献１と同様である。さ
らに、ブロック集合体とするためには、コマ型ブロックを１つずつつなぎ合わせと
いう多大な作業工数を要するため、不利である。
【０００７】
特許文献３の基礎床版ブロックは断面がＶ字の柱状ブロックであり、直列方向においてはブロック長さを長くして形成すればよいが、並列方向においては複数のブロックを設置する必要があり、ブロック設置に手間がかかる。
【０００８】
本考案は、かかる実情を背景にしてなされたもので、その目的とするところは、
従来品よりも高荷重の構造物を支えつつも沈下を極力有効に防止し、また製作並び
に施工を簡便に行うことのできる大型円錐基礎床版ブロックを提供することにある。
【課題を解決するための手段】
【０００９】
上述の目的にしたがって、本考案の大型円錐基礎床版ブロックは、床版本体を工場で製作及び運搬できる範囲でできるだけ大きい面積とし、その底面には円錐状の突起を複数設け、さらに、その突起の先端にガイドピンをあらかじめ埋め込んでおき、また、突起部を避けて楕円状の開口部を複数設け、形成したことを特徴としている。
【００１０】
この大型円錐基礎床版ブロックは、床版本体を、型枠の仕切り版によって切り分けて、小さな面積で製作しても良い。
【００１１】
また、本考案の大型円錐基礎床版ブロックを、直列または並列に複数個並べることにより、現場の条件に合わせてさらに大きな面積の基礎を形成することができる。またその際に、その合わせ目にも、内部に形成されているのと同様の、円錐状の突起部及び楕円状の開口部が形成される。この、内部及び合わせ目に形成される楕円状の開口部に間詰め砕石を投入し転圧を行う。
【００１２】
さらに、本考案の大型円錐基礎床版ブロックにおいて、底面突起部の先端に埋め込まれたガイドピンは、基礎地盤に突き刺さり施工時のズレ止めとなる。
【００１３】
また、本考案の大型円錐基礎床版ブロックは、突起部と開口部の形状が単純であるため、製作時の型枠からの脱型が非常にスムーズに行え、さらに、仕切り版により床版本体の面積を自由に変えて製作できる。
【考案の効果】
【００１４】
この大型円錐基礎床版ブロックは、脱型し易い単純な形状とし、さらに工場で製作及び運搬できる範囲でできるだけ大きい面積とすることにより、製作時の手間を少なくすることができ、施工についても大きな面積を一気に設置できるため、従来の基礎床版ブロックに比べ効率が良い。
また、円錐状の突起部を、簡便にしかも均一な状態で多数設置することが容易となり、さらに突起部だけではなく床版の平板部における効果も合わさって、荷重分散効果が大きくなる。これにより、従来の基礎床版ブロックに比べて高荷重の構造物を支えつつも、沈下、特に不同沈下を極力有効に防止することができる。
【００１５】
また、この大型円錐基礎床版ブロックは、床版本体を複数個並べることにより大きな構造物の基礎として使用したり、仕切り版によって小さい面積で製作された床版本体を小規模の構造物の基礎に用いても良い。
【００１６】
さらに、本考案の大型円錐基礎床版ブロックは、底面の円錐状の突起を避けて開口部を設けるが、この開口部を楕円状にすることにより、間詰め砕石の投入または転圧がし易くなり、作業効率がよくなるばかりか施工精度が格段に上昇し、施工不良を防止することができる。
また、構造が簡単であるから製作性や搬送性に優れ、さらに現場での施工時間の短縮と作業性の向上が図れる。
【図面の簡単な説明】
【００１７】
【図１】本考案の第１実施例を示す大型円錐基礎床版ブロックの平面図である。
【図２】本考案の第１実施例を示す大型円錐基礎床版ブロックの平面図である。
【図３】本考案の第１実施例を示す大型円錐基礎床版ブロックの底面図である。
【図４】本考案の第１実施例を示す図１のＡ−Ａ断面図である。
【図５】本考案の第１実施例を示す図１のＢ−Ｂ断面図である。
【図６】本考案の第１実施例を示す開口部に間詰砕石を表示した大型円錐基礎床版ブロックの断面図である。
【図７】本考案の第２実施例を示す仕切り版で分割した状態の大型円錐基礎床版ブロックの平面図である。
【図８】本考案の第３実施例を示す現場で複数個並べた状態の大型円錐基礎床版ブロックの平面図である。
【考案を実施するための形態】
【００１８】
以下、本考案の実施例を図面に基づいて説明する。
図中、図１〜図６は本考案の第１実施例を示すもので、図１は大型円錐基礎床版ブロックの平面透視図、図２は同じく大型円錐基礎床版ブロックの平面図、図３は同じく大型円錐基礎床版ブロックの底面図、図４は図１のＡ−Ａ断面図、図５は図１のＢ−Ｂ断面図、図６は間詰め砕石を追加表示した断面図である。
図７は本考案の第２実施例を示すもので、仕切り版で分割した状態の大型円錐基礎床版ブロックの平面図である。
図８は本考案の第３実施例を示すもので、大型円錐基礎床版ブロックを複数個並べた状態の平面図である。
なお、各実施例に共通の構成については同一符号を付すものとし、第１実施例で
説明した構成については、第２実施例以降での詳細な説明を省略する。
【００１９】
図１〜図６の第１実施例に示す大型円錐基礎床版ブロック１は、工場製作によるプレキャストコンクリートブロックとして成形する。床版本体１ａは工場で製作が可能な、かつ施工現場までの運搬が可能な範囲でできるだけ大きい面積で製作する。その底面には先端が尖っていない円錐状の突起１ｂ、１ｃ、１ｄを複数設け、さらに、その突起１ｂ、１ｃ、１ｄの先端にガイドピン１ｇを埋め込んでおく。突起１ｃは平面で見て半円状、１ｄは平面で見て１／４円状となっていて、ここにはガイドピン１ｇは埋め込まなくとも良い。また、突起１ｂ、１ｃ、１ｄを避けて、間詰砕石２を投入するための楕円状の開口部１ｅ、１ｆを複数設ける。
【００２０】
図６は、基礎地盤３上に大型円錐基礎床版ブロック１を設置した状態の断面図である。円錐状の突起１ｂ、１ｃの間に楕円状の開口部１ｅがあり、この部分に間詰砕石を投入し転圧する。楕円状であるため開口が大きく取れ、投入、転圧がし易い。              
また、ガイドピン１ｇは基礎地盤３に突き刺さる状態となり、ズレ止め効果を発揮するため、施工をスムーズに行うことができる。
【００２１】
図７は、上記図１〜図６に示した大型円錐基礎床版ブロック１を、型枠の仕切り版１ｉを用いて分割して製作する第２実施例を示す。こうすることにより小さな面積の円錐基礎床版ブロック１ｊが製作でき、小規模な構造物の基礎に用いることができる。この図では６個の円錐基礎床版ブロック１ｊに分割しているが、２個や４個に分割しいろいろな大きさに変えて製作することもできる。
【００２２】
図８は、上記図１〜図６に示した大型円錐基礎床版ブロック１を２個ずつ並列及び直列に並べた第３実施例を示す。ブロック端部の半円状の突起１ｃとブロック隅角部の１／４円状の突起１ｄは、大型円錐基礎床版ブロック１を並べた際に向かい合わせに合わさって、円錐状の突起１ｂを形成する。また、半分の楕円状の開口部１ｆも、突起１ｃ、１ｄと同様に、楕円状の開口部１ｅを形成する。このように、大型円錐基礎床版ブロック１を連続して並べるだけで、円錐状の突起１ｂと楕円状の開口部１ｅが規則正しく設置され、間詰砕石２を投入転圧することにより、簡便にしかも荷重分散効果の高い、構造物の基礎を形成することができる。
【符号の説明】
【００２３】
１…大型円錐基礎床版ブロック
１ａ…床版本体
１ｂ，１ｃ,１ｄ…円錐状の突起
１ｅ,１ｆ…楕円状の開口部
１ｇ…ガイドピン
１ｉ…仕切り版
１ｊ…分割された円錐基礎床版ブロック
２…間詰砕石
３…基礎地盤
【図１】
0003160507.tif 000003
【図２】
0003160507.tif 000004
【図３】
0003160507.tif 000005
【図４】
0003160507.tif 000006
【図５】
0003160507.tif 000007
【図６】
0003160507.tif 000008
【図７】
0003160507.tif 000009
【図８】
0003160507.tif 000010
【手続補正書】
【提出日】平成22年4月22日(2010.4.22)
【手続補正１】
【補正対象書類名】実用新案登録請求の範囲
【補正対象項目名】全文
【補正方法】変更
【補正の内容】
【実用新案登録請求の範囲】
【請求項１】
床版本体の底面に円錐状の突起を複数設け、さらに円錐状の突起部を避けて楕円状の開口部を設ける、
ことを特徴とする、大型円錐基礎床版ブロック。